(57)【特許請求の範囲】
【請求項１】
左右方向に対面する２枚の側板を備え、
該２枚の側板の間に、前部に開閉部が設けられた筐体を有する電気機器が収容されるキャビネットにおいて、
前記２枚の側板夫々の前端部に切り欠き状部が設けられており、
該切り欠き状部の最上端は前記筐体の天部が配される位置より高く、最下端は前記天部が配される位置より低く、
前記２枚の側板夫々の切り欠き状部に亘って、前記天部が配される位置よりも高い位置に配されている棒状部材、及び、
該棒状部材と前記天部との隙間を目隠しする目隠し部材
を備えることを特徴とするキャビネット。
【請求項２】
前記目隠し部材は、前記目隠し部材の上下方向の位置が変更可能に前記棒状部材に取り付けられることを特徴とする請求項１に記載のキャビネット。
【請求項３】
前記目隠し部材は前記棒状部材より軟質であり、
上向きに開口し、左右方向に延びた溝が上部に設けられており、左右方向に長い挟持部と、
該挟持部の下部から前向きに突出している庇状の目隠し部と
を有し、
前記棒状部材は前記溝の幅よりも厚く、前記溝に嵌脱可能に嵌め込まれることによって前記挟持部に挟持されることを特徴とする請求項２に記載のキャビネット。
【請求項４】
前記挟持部は前記目隠し部より硬質であることを特徴とする請求項３に記載のキャビネット。
【発明の詳細な説明】
【技術分野】
【０００１】
本発明は、電気機器を収容するキャビネットに関する。
【背景技術】
【０００２】
台所に設置されたキャビネットには、食器洗い乾燥機又はオーブンレンジ等の電気機器が組み込まれることがある（特許文献１参照）。
キャビネットに組み込んで使用されることが前提の電気機器は、一般に、使用者の目に触れ得る部分以外の化粧を省略してある。例えば、特許文献１に記載のキャビネットに組み込まれている引出し型乾燥機であれば、引出し部が収容される筐体の外面は非化粧部分である。
【０００３】
しかしながら、通常、電気機器とキャビネットとの隙間から、電気機器の非化粧部分が使用者に見られてしまう虞はない。何故ならば、キャビネットに組み込まれた電気機器の周囲には、キャビネットの天板、側板、又は抽斗等が接近配置されているからである。
【先行技術文献】
【特許文献】
【０００４】
【特許文献１】特許第５２８１８１８号公報
【発明の概要】
【発明が解決しようとする課題】
【０００５】
ここで、キャビネットに組み込まれた電気機器の上側に、例えばデザイン上の理由で、天板又は抽斗等が離隔配置される場合を考える。この場合には、電気機器の筐体の天面とキャビネットとの隙間が大きくなる。故に、この隙間から非化粧部分である筐体の天面が見えてしまい、美観を損なう虞がある。
【０００６】
本発明は斯かる事情に鑑みてなされたものであり、その主たる目的は、美観を向上させることができるキャビネットを提供することにある。
【課題を解決するための手段】
【０００７】
本発明に係るキャビネットは、左右方向に対面する２枚の側板を備え、該２枚の側板の間に、前部に開閉部が設けられた筐体を有する電気機器が収容されるキャビネットにおいて、前記２枚の側板夫々の前端部に切り欠き状部が設けられており、該切り欠き状部の最上端は前記筐体の天部が配される位置より高く、最下端は前記天部が配される位置より低く、前記２枚の側板夫々の切り欠き状部に亘って、前記天部が配される位置よりも高い位置に配されている棒状部材、及び、該棒状部材と前記天部との隙間を目隠しする目隠し部材を備えることを特徴とする。
【０００８】
本発明に係るキャビネットは、前記目隠し部材は、前記目隠し部材の上下方向の位置が変更可能に前記棒状部材に取り付けられることを特徴とする。
【０００９】
本発明に係るキャビネットは、前記目隠し部材は前記棒状部材より軟質であり、上向きに開口し、左右方向に延びた溝が上部に設けられており、左右方向に長い挟持部と、該挟持部の下部から前向きに突出している庇状の目隠し部とを有し、前記棒状部材は前記溝の幅よりも厚く、前記溝に嵌脱可能に嵌め込まれることによって前記挟持部に挟持されることを特徴とする。
【００１０】
本発明に係るキャビネットは、前記挟持部は前記目隠し部より硬質であることを特徴とする。
【００１１】
本発明にあっては、キャビネットが備える棒状部材とキャビネットに収容された電気機器の筐体の天部との隙間を、目隠し部材が目隠しする。従って、電気機器の筐体の天部における非化粧部分が人目に付く虞はない。
【００１２】
本発明にあっては、目隠し部材の上下方向の位置が変更可能である。
故に、例えばキャビネットに配された棒状部材に目隠し部材を取り付けてから、キャビネットに電気機器を収容し、次いで目隠し部材の上下方向の位置を調整することができる。従って、棒状部材と電気機器との間に空間的な余裕がなく、キャビネットに電気機器を収容した後では目隠し部材を棒状部材に取り付けることが困難な場合に特に好適である。
また、目隠し部材が無用な位置ずれを起こしても、容易に修正することができる。
【００１３】
本発明にあっては、棒状部材を軟質の挟持部の溝に嵌め込めば、挟持部が弾性復元力によって棒状部材を挟持する。故に、目隠し部材は、上下方向の位置が変更可能に棒状部材に取り付けられる。
軟質の庇状の目隠し部は、自重によって先端部が垂れ下がる。故に、目隠し部の先端部と電気機器の筐体の天部との隙間から非化粧部分が見えてしまうことが抑制される。
【００１４】
本発明にあっては、目隠し部よりも硬い挟持部は、目隠し部以下の柔らかさを有する挟持部よりも保形性が高い。故に、挟持部が弾性復元力によって棒状部材を確実に挟持することができる。
【発明の効果】
【００１５】
本発明のキャビネットによる場合、電気機器の筐体の天部における非化粧部分が目隠しされるので、電気機器を収容しているキャビネットの美観を向上させることができる。
【図面の簡単な説明】
【００１６】
【図１】本発明の実施の形態１に係るキャビネットとしての調理台とコンロ台及びシンク台とを含むキッチンキャビネットの構成を略示する分解斜視図である。
【図２】キッチンキャビネットの構成を略示する拡大分解斜視図である。
【図３】コンロ台における棒状部材近傍の構成を略示する断面図である。
【図４】調理台における棒状部材近傍の構成を略示する断面図である。
【図５】キッチンキャビネットが備える棒状部材に対する目隠し部材の取り付けを説明するための断面図である。
【図６】目隠し部材の構成を略示する断面図である。
【図７】本発明の実施の形態２に係るキャビネットとしての調理台を含むキッチンキャビネットが備える目隠し部材の構成を略示する断面図である。
【発明を実施するための形態】
【００１７】
以下、本発明を、その実施の形態を示す図面に基づいて詳述する。以下の説明では、図において矢符で示す上下、前後、及び左右を使用する。
【００１８】
実施の形態  １．
図１及び図２は、キッチンキャビネット１の構成を略示する分解斜視図及び拡大分解斜視図である。キッチンキャビネット１は、本発明の実施の形態１に係るキャビネットとしての調理台１２とコンロ台１１及びシンク台１３とを含む。図２には、図１における二点鎖線で囲まれた部分が示されている。
図３及び図４は、コンロ台１１及び調理台１２における棒状部材３近傍の構成を略示する断面図である。
図５は、キッチンキャビネット１が備える棒状部材３に対する目隠し部材４の取り付けを説明するための断面図である。
図６は、目隠し部材４の構成を略示する断面図である。
【００１９】
まず、キッチンキャビネット１の大略を説明する。
図１に示すように、キッチンキャビネット１は、コンロ台１１、調理台１２、及びシンク台１３の他、棒状部材３及び目隠し部材４と、図示しないワークトップ（天板）とを備える。
【００２０】
コンロ台１１は、左右方向に対面する２枚の側板１１１，１１１と、側板１１１，１１１間に配された背板１１２及び底板１１３等を備える。コンロ台１１は、前部及び上部が開放されている。
コンロ台１１には、左右方向に離隔並置される２個の抽斗１１４，１１４（図３に一方のみ図示）と、抽斗１１４，１１４の下側に配される抽斗１１５と、抽斗１１４，１１４間に配されるビルトイン型のグリル付きコンロ（不図示）とが収容される。
各抽斗１１４の前板１１ｂの下端部には、パッキン部材１１６が取り付けられている。
【００２１】
調理台１２は、コンロ台１１の右側に隣接している。調理台１２は、左右方向に対面する２枚の側板２１，２１と、側板２１，２１間に配された背板２２、底板２３、及び戸当たり桟２４等を備える。戸当たり桟２４は、側板２１，２１の前端部における上端部同士を連結している。調理台１２は、側板２１，２１、背板２２、及び戸当たり桟２４に囲繞された上部が開放されている。調理台１２は、側板２１，２１、底板２３、及び戸当たり桟２４に囲繞された前部が開放されている。
【００２２】
調理台１２の上段には抽斗２６が収容され、下段には電気機器５が収容される（図４参照）。抽斗２６の前板２６ａの上端部は、抽斗２６が調理台１２に収容された場合に、図示しないパッキン部材を介して戸当たり桟２４に当接する。前板２６ａの下端部には、パッキン部材２７が取り付けられている（図４参照）。
【００２３】
シンク台１３は、調理台１２の右側に隣接している。シンク台１３は、左右方向に対面する２枚の側板１３１，１３１と、側板１３１，１３１間に配された背板１３２及び底板１３３等を備える。シンク台１３は、前部及び上部が開放されている。
シンク台１３には、図示しない抽斗が収容される。
側板１３１，１３１間の離隔距離は、側板１１１，１１１間の離隔距離に等しい。
【００２４】
なお、キッチンキャビネット１は、右側の側板１１１と左側の側板２１とに替えて、コンロ台１１及び調理台１２に共通の１枚の側板を備えていてもよく、右側の側板２１と左側の側板１３１とに替えて、調理台１２及びシンク台１３に共通の１枚の側板を備えていてもよい。
【００２５】
側板１１１，１１１夫々の前端部には、切り欠き状部１１ａ，１１ａが設けられている。各切り欠き状部１１ａは、周縁部の形状が前開きのコ字状をなしている。切り欠き状部１１ａは、側板１１１の上下方向中心位置よりも上側に配されている。切り欠き状部１１ａ，１１ａ夫々の形状、寸法、及び上下方向の配置位置は、互いに等しい。なお、切り欠き状部１１ａの形状はコ字状に限定されない。
側板２１，２１夫々の前端部には、切り欠き状部２ａ，２ａが設けられている。側板１３１，１３１夫々の前端部には、切り欠き状部１３ａ，１３ａが設けられている。各切り欠き状部２ａ，１３ａ夫々の形状、寸法、及び上下方向の配置位置は、切り欠き状部１１ａの形状、寸法、及び上下方向の配置位置に等しい。
【００２６】
切り欠き状部１１ａ，１１ａ，２ａ，２ａ，１３ａ，１３ａには、棒状部材３が配される。棒状部材３の左右方向中央部には、目隠し部材４が取り付けられる。以下では、棒状部材３における目隠し部材４の取り付け部分を目隠し支持部３２といい、棒状部材３における目隠し支持部３２の左側及び右側を空間形成部３１，３３という。空間形成部３１，３３はコンロ台１１及びシンク台１３に、目隠し支持部３２は調理台１２に、夫々配される。
【００２７】
コンロ台１１〜シンク台１３の上部の開放部分は、上述のワークトップによって閉鎖される。
コンロ台１１の前部の開放部分は、抽斗１１４，１１４，１１５の前板１１ｂ，１１ｂ，１１ｃ、パッキン部材１１６，１１６、空間形成部３１、及びグリル付きコンロ等によって閉鎖される。
【００２８】
調理台１２において、抽斗２６の前板２６ａの下端部は、抽斗２６が調理台１２に収容された場合に、パッキン部材２７を介して目隠し支持部３２の上端部に当接する。調理台１２の前部の開放部分は、抽斗２６の前板２６ａ、パッキン部材２７、目隠し支持部３２、目隠し部材４、及び電気機器５等によって閉鎖される。
【００２９】
シンク台１３の前部の開放部分は、抽斗の前板、図示しないパッキン部材、及び空間形成部３３等によって閉鎖される。
【００３０】
次に、図４を参照しつつ、電気機器５について説明する。
電気機器５は食器洗い乾燥機であり、筐体５１及び抽斗５２を有する。
筐体５１は、軸長方向が前後方向の有底矩形筒状をなし、前部が開放されている。筐体５１の上面５ａ（天部）は非化粧部分である。上面５ａの前端部は、左右方向に長い帯状の化粧部材５１１に覆われている。
【００３１】
抽斗５２は、筐体５１に収容されている。抽斗５２の前板５ｂは、筐体５１の前部の開放部分を開閉する開閉部である。
前板５ｂには、抽斗５２を引き出すための図示しない手掛け部が設けてある。前板５ｂには化粧が施してある。前板５ｂの前面には、電気機器５の操作パネル５２１が設けてある。前板５ｂの後面には、前板５ｂの後面と筐体５１との隙間を閉鎖するパッキン部材５２２が配されている。前板５ｂの上端面は、上面５ａと概ね面一である。
【００３２】
なお、電気機器５は食器洗い乾燥機に限定されるものではなく、例えばオーブンレンジでもよい。電気機器５の開閉部は前板５ｂに限定されず、前開き又は横開き等のドアでもよい。
【００３３】
電気機器５は調理台１２に収容される。更に詳細には、電気機器５は、筐体５１が側板２１，２１間に配され、抽斗５２の前板５ｂが側板２１，２１間よりも前側に配される位置で、底板２３に載置される。
このとき、筐体５１の上面５ａ及び前板５ｂの上端面の位置は、各切り欠き状部２ａの最上端より低く、最下端より高い。
また、前板５ｂの上端面（及び下端面）の上下方向の位置は、コンロ台１１が備える抽斗１１４の前板１１ｂの上端面（及び下端面）の上下方向の位置に等しい。即ち、前板１１ｂ，５ｂが左右方向に一列に並置される。この結果、コンロ台１１と調理台１２との意匠上の統一感が得られ、キッチンキャビネット１の意匠性が向上する。
【００３４】
筐体５１の左右両側面は、側板２１，２１に接近配置されるので、筐体５１と各側板２１との隙間から筐体５１の非化粧部分が無用に露出することはない。
筐体５１の下面は、筐体５１に突設されている図示しない複数本の脚部の介在によって、底板２３から離隔配置される。しかしながら、使用者は電気機器５を斜め上から見下ろすので、筐体５１と底板２３との隙間を通して筐体５１の非化粧部分が使用者に見られてしまうことはない。
【００３５】
次に、図１〜図５を参照しつつ、棒状部材３について説明する。
棒状部材３は、長さ方向が左右方向であり、左右対称形状になしてある。棒状部材３は、金属又は合成樹脂等を用いてなる。
棒状部材３は、アングル状の棒状体（不図示）の長さ方向中央部をコ字状に切り欠いてなる。目隠し支持部３２は、切り欠き後の棒状体の長さ方向中央部であり、空間形成部３１，３３は、切り欠き後の棒状体の左右方向非中央部である。つまり、棒状部材３は、空間形成部３１、目隠し支持部３２、及び空間形成部３３を左側から右側へこの順に一体に有する。
【００３６】
空間形成部３１，３３の構成は略同様であるので、以下では空間形成部３１について説明する。
空間形成部３１はアングル状をなしており、縦板部３１１及び横板部３１２を有する。横板部３１２は、縦板部３１１の下端部から前向きに突出している。空間形成部３１におけるアングルの屈曲部（即ち縦板部３１１及び横板部３１２の境界部）は、断面弧状の曲面状をなしている。
【００３７】
空間形成部３１は、側板１１１，１１１の切り欠き状部１１ａ，１１ａに亘って配される。このとき、縦板部３１１及び横板部３１２の左端部は、左側の切り欠き状部１１ａの周縁部に沿って配される。同様に、縦板部３１１及び横板部３１２の右端部は、右側の切り欠き状部１１ａの周縁部に沿って配される。
【００３８】
横板部３１２の前端部には、下向きに突出するパッキン支持片３１３が設けられており、パッキン支持片３１３には、パッキン部材３１４が取り付けられる。パッキン支持片３１３の左右方向の長さは、抽斗１１５の前板１１ｃの左右方向の長さよりも、側板１１１，１１１の厚み分だけ短い。パッキン部材３１４は、前板１１ｃの上端部と空間形成部３１との隙間を閉鎖する。
空間形成部３１と抽斗１１４の前板１１ｂの下端部との隙間は、パッキン部材１１６が閉鎖する。
【００３９】
空間形成部３１は、抽斗１１４，１１４，１１５夫々をコンロ台１１から引き出すべく使用者が手を入れるための空間を形成する。この空間に手を入れた使用者は、抽斗１１４の前板１１ｂの下端部に手を掛けて抽斗１１４を引き出すか、又は、抽斗１１５の前板１１ｃの上端部に手を掛けて抽斗１１５を引き出す。
【００４０】
次に、目隠し支持部３２について説明する。
目隠し支持部３２は縦板部３１１と略同様の縦板状をなしているが、上下方向の長さは、縦板部３１１の上下方向の長さの半分程度である。つまり、目隠し支持部３２は、上述の棒状体から、棒状体が有する縦板部の下半分及び横板部を除去したような形状を有する。目隠し支持部３２の左右方向の長さは、側板２１，２１間の内法に等しい。
【００４１】
目隠し支持部３２は、側板２１，２１の切り欠き状部２ａ，２ａに亘って配される。このとき、目隠し支持部３２の左端部は、左側の切り欠き状部２ａの周縁部に沿って配される。同様に、目隠し支持部３２の右端部は、右側の切り欠き状部１１ａの周縁部に沿って配される。また、目隠し支持部３２の下端部の上下方向の配置位置は、調理台１２に収容された電気機器５の上面５ａよりも上方である。つまり、目隠し支持部３２は、調理台１２に収容される電気機器５に干渉しない。
【００４２】
仮に、目隠し支持部３２が存在しない場合（即ち、棒状部材３が、長さ方向中央部の切り欠きを有していない棒状体のままである場合）、調理台１２に収容される電気機器５と棒状部材３とが干渉する、という問題が生じる。
【００４３】
この問題は、電気機器５に替えて、より高さが小さい電気機器を採用するか、又は、底板２３を下げたり取り払ったりすることによって電気機器５の配置位置を下げれば解消する。
しかしながら、小型の電気機器は大型のものよりも洗浄・乾燥可能な食器の量が少ない。換言すれば、電気機器５の性能が犠牲になる、という新たな問題が生じる。故に、小型の電気機器を採用することはできない。
一方、電気機器５を下げた場合、前板５ｂの配置位置が、隣接する前板１１ｃよりも下がるので、コンロ台１１と調理台１２との意匠上の統一感が損なわれる。換言すれば、キッチンキャビネット１の意匠性が犠牲になる、という新たな問題が生じる。故に、電気機器５を下げることはできない。
【００４４】
以上の問題を、目隠し支持部３２は全て解消する。
ただし、目隠し支持部３２の存在（即ち、棒状部材３が長さ方向中央部の切り欠きを有していること）によって、棒状部材３と筐体５１との間に大きな隙間が生じる。この隙間からは上面５ａの非化粧部分が露出するので、この隙間を放置すると、キッチンキャビネット１の美観が損なわれる。
そこで、この隙間を目隠しする目隠し部材４が目隠し支持部３２に取り付けられる。
【００４５】
次に、図１、図２、及び図４〜図６を参照しつつ、目隠し部材４について説明する。
まず、目隠し部材４の構成を説明する。
目隠し部材４は、合成樹脂又は合成ゴム等を用いてなり、目隠し支持部３２よりも軟質である。目隠し部材４は、挟持部４１と目隠し部４２とを有する。
挟持部４１は、左右方向に長い棒状になしてある。挟持部４１の左右方向の長さは、目隠し支持部３２の左右方向の長さに等しい。挟持部４１の上部には、挟持部４１の左右方向両端部に亘って溝４３が設けられている。溝４３は上向きに開口している。溝４３の幅（前後方向の長さ）は、目隠し支持部３２の厚み（前後方向の長さ）未満である。以下では、挟持部４１における溝４３の前側の部分及び後側の部分を、挟持片４１１，４１２という。
【００４６】
挟持片４１１，４１２は、互いに前後方向に対面する正面視矩形状の板状である。挟持片４１１の上端位置は、挟持片４１２の上端位置よりも低い。故に、前側から挟持部４１を見た場合に、溝４３の位置が分かりやすい。挟持片４１１，４１２夫々の上端面は、上向き凸状且つ前後方向に弧状の曲面状になしてある。特に、挟持片４１２の上端面前部は、溝４３の内側へ下がる傾斜面状である。
【００４７】
目隠し部４２は平面視矩形状の庇状になしてある。目隠し部４２は、挟持部４１の下部から前向きに突出している。目隠し部４２は軟質なので、目隠し部４２の前端部（先端部）が後端部（基端部）よりも下側に位置するよう自然に撓む。
【００４８】
次に、目隠し部材４の目隠し支持部３２に対する取り付けを説明する。
目隠し部材４の目隠し支持部３２に対する取り付けは、棒状部材３がコンロ台１１〜シンク台１３に取り付けられる前に行なわれてもよく、取り付けられた後で行なわれてもよい。以下では、棒状部材３が既にコンロ台１１〜シンク台１３に取り付けられている場合について説明する。
【００４９】
作業者は、目隠し支持部３２の下側に目隠し部材４を配し、次に、目隠し部材４を上方移動させることによって、溝４３に目隠し支持部３２の下端部を嵌め込む。このとき、挟持部４１の柔軟性により、挟持片４１１，４１２が前後方向に強制的に離隔させられ、溝４３の幅が拡がる。目隠し支持部３２の嵌入時には、挟持片４１１，４１２の上端部の曲面は、目隠し支持部３２を溝４３の内部へ案内する案内面として機能する。
【００５０】
この後、挟持片４１１，４１２の弾性復元力により、目隠し支持部３２の下端部が挟持片４１１，４１２間に挟持される。この結果、目隠し部材４は目隠し支持部３２に取り付けられる。ただし、目隠し部材４に下向きの外力を加えれば、目隠し支持部３２は容易に溝４３から抜け出る。つまり、目隠し支持部３２の溝４３への嵌め込みは、嵌脱可能である。
【００５１】
目隠し部材４の上下方向の位置は変更可能である。従って、目隠し部材４を目隠し支持部３２に取り付けた後で、目隠し部材４の上下方向の位置を調整することができる。このために、作業者は、目隠し部材４を押し上げることによって、目隠し支持部３２を溝４３の底側へ押し込むか、又は、目隠し部材４を引き下げることによって、目隠し支持部３２を溝４３から抜脱されない程度に溝４３の開口側へ引き出す。
【００５２】
目隠し支持部３２に対する目隠し部材４の取り付け時には、目隠し部材４を、目隠し支持部３２の下端部が溝４３の底部に接触する程度の位置に配置することが望ましい。この場合、目隠し支持部３２の溝４３への嵌め込みが浅い場合よりも、目隠し部材４の目隠し支持部３２からの脱落が抑制される。また、目隠し部材４の下側の空間的な余裕が大きくなる。
【００５３】
棒状部材３がコンロ台１１〜シンク台１３に取り付けられる前に電気機器５が底板２３に載置される場合には、電気機器５の載置後、目隠し部材４が取り付けられた棒状部材３がコンロ台１１〜シンク台１３に取り付られ、次に、目隠し部材４の上下方向の位置が調整される。
一方、棒状部材３がコンロ台１１〜シンク台１３に取り付けられた後で電気機器５が底板２３に載置される場合には、電気機器５の載置前に、目隠し部材４が取り付けられた棒状部材３がコンロ台１１〜シンク台１３に取り付られるか、又は、コンロ台１１〜シンク台１３に取り付られた棒状部材３に目隠し部材４が取り付けられる。次に、電気機器５が載置され、その後、目隠し部材４の上下方向の位置が調整される。
【００５４】
なお、コンロ台１１〜シンク台１３に取り付られた棒状部材３と電気機器５との離隔距離が十分に長い場合には、棒状部材３がコンロ台１１〜シンク台１３に取り付けられており、且つ、電気機器５が底板２３に載置された後で、目隠し部材４が棒状部材３に取り付けられてもよい。
【００５５】
目隠し支持部３２に目隠し部材４が取り付けられた棒状部材３がコンロ台１１〜シンク台１３に取り付けられており、電気機器５が底板２３に載置されている場合、目隠し部４２は、目隠し支持部３２の下端部から電気機器５の化粧部材５１１までを被覆する。この結果、棒状部材３と筐体５１との隙間が目隠しされる。従って、筐体５１の上面５ａの非化粧部分が人目に付く虞はない。即ち、キッチンキャビネット１の美観を向上させることができる。
目隠し部４２は、前端部側が後端部側から見て垂れ下がっているので、目隠し部４２が例えば水平に配されている場合に比べて、目隠し効果が向上する。
【００５６】
キッチンキャビネット１の製造後、何らかの外力が目隠し部材４に加わることによって、目隠し部材４が無用に上下方向に位置ずれした場合には、例えば使用者が目隠し部材４の上下方向の位置を適宜に調整すればよい。
ところで、目隠し部材４の色は、棒状部材３の色と同じか類似していることが望ましい。この場合、目隠し部材４が無用に目立つことがないので、目隠し部材４が悪目立ちすることによってキッチンキャビネット１の美観が損なわれることが抑制される。
【００５７】
以上のようなキッチンキャビネット１は、電気機器５の上面５ａが抽斗２６（又はキッチンキャビネット１のワークトップ）に接近配置されていない。しかしながら、目隠し部材４が電気機器５の上面５ａにおける非化粧部分を目隠しするので、電気機器５の性能及びキッチンキャビネット１の意匠性の向上と、キッチンキャビネット１の美観の向上とを両立させることができる。
【００５８】
目隠し部材４は、目隠し支持部３２に取り付けられる構成に限定されない。ただし、目隠し部材４は電気機器５以外の物に取り付ける構成であることが望ましい。何故ならば、電気機器５が既製品である場合に、電気機器５の構成を変更するための困難な加工が不要だからである。
目隠し部材４は、上下方向の位置を変更可能に目隠し支持部３２に取り付けられる構成に限定されず、例えば両面テープ又は接着剤等を用いて固定的に目隠し支持部３２に取り付けられる構成でもよい。
【００５９】
本実施の形態では、抽斗２６が電気機器５の上側に離隔配置されているが、これに限定されず、ワークトップ又はドア付きの収納棚等が電気機器５の上側に離隔配置されてもよい。
【００６０】
実施の形態  ２．
図７は、本発明の実施の形態２に係るキャビネットとしての調理台１２を含むキッチンキャビネット１が備える目隠し部材４の構成を略示する断面図である。
本実施の形態のキッチンキャビネット１は、実施の形態１のキッチンキャビネット１と略同様の構成である。以下では、実施の形態１との差異について説明し、その他、実施の形態１に対応する部分には同一符号を付してそれらの説明を省略する。
【００６１】
本実施の形態の目隠し部材４は、実施の形態１の挟持部４１及び目隠し部４２と略同様の挟持部４４及び目隠し部４２を有する。挟持部４４には溝４３が設けられている。挟持部４４は前後方向に並設された挟持片４４１，４４２を有する。
【００６２】
実施の形態１の目隠し部材４は一体物であり、挟持部４１と目隠し部４２とが同程度に軟質である。一方、本実施の形態の目隠し部材４は、材質が異なる２部材を有する。具体的には、挟持部４４が目隠し部４２よりも硬質である。
硬質の挟持部４４は、実施の形態１の挟持部４１よりも保形性が高い。故に、挟持片４４１，４４２は、挟持片４１１，４１２よりも強力に目隠し支持部３２を挟持する。従って、目隠し部材４の位置ずれ又は目隠し支持部３２からの脱落をより確実に抑制することができる。
【００６３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、キッチンキャビネット１に、実施の形態１，２に開示されていない構成要素が含まれていてもよい。
【符号の説明】
【００６４】
１２  調理台（キャビネット）
２ａ  切り欠き状部
２１  側板
３    棒状部材
４    目隠し部材
４１  挟持部
４２  目隠し部
４３  溝
５    電気機器
５ａ  上面（天部）
５ｂ  前板（開閉部）
５１  筐体
【図１】
0006445362.tif 000002
【図２】
0006445362.tif 000003
【図３】
0006445362.tif 000004
【図４】
0006445362.tif 000005
【図５】
0006445362.tif 000006
【図６】
0006445362.tif 000007
【図７】
0006445362.tif 000008